(57)【要約】  【課題】  感光性樹脂凸版を多数枚重ねた感光性樹脂凸版群を曝光や損傷などのトラブルを与えることなく、簡便に乗置、運搬を行うための運搬具を提供する。  【解決手段】  感光性樹脂凸版を多数枚重ねた感光性樹脂凸版群の運搬具において、版受け台と版囲いとを具備し、梱包された感光性樹脂凸版群を、実質的に縦向きの状態で乗置できる感光性樹脂凸版の運搬具。【選択図】図１
2005255079.tif 000002
【特許請求の範囲】
【請求項１】
感光性樹脂凸版を多数枚重ねた感光性樹脂凸版群の運搬具において、版受け台と版囲いとを具備し、梱包された感光性樹脂凸版群を、実質的に縦向きの状態で乗置できることを特徴とする感光性樹脂凸版の運搬具。
【請求項２】
感光性樹脂凸版の寸法に応じて、仕切材が可動する機構を有することを特徴とする、請求項１に記載の感光性樹脂凸版群の運搬具。
【請求項３】
感光性樹脂凸版群をスロットカードのごとく乗置できるように間仕切りが具備されていることを特徴とする、請求項１または２に記載の感光性樹脂凸版群の運搬具。
【請求項４】
感光性樹脂凸版群の少なくとも一部を覆うための外装板を具備することを特徴とする、請求項１から３のいずれかに記載の感光性樹脂凸版群の運搬具。
【発明の詳細な説明】
【技術分野】
【０００１】
本発明は、感光性樹脂凸版を多数枚重ねた感光性樹脂凸版群の運搬具に関するものである。
【背景技術】
【０００２】
感光性樹脂凸版は、ポリエステルフィルムや、鉄板などの金属板などの支持体上に、接着層を介してポリアミド樹脂やポリビニルアルコール樹脂を含む感光性樹脂を形成したものであり、主にレタープレス印刷などに使用される。通常、感光性樹脂凸版の運搬は、１０枚から２０枚程度を１組の梱包単位として遮光紙（遮光フィルム）で包み、あるいは遮光袋に封入し、それを専用段ボールケースに入れて行う。感光性樹脂凸版は版厚が０．２〜３．０ｍｍ程度であり、１５ｃｍ角〜１００ｃｍ角程度の板状の形をしているため、運搬に用いられる段ボールケースも平たい形状となる。よって感光性樹脂凸版群の運搬は、通常平置きの状態で行われ、平置き状態のままで保管される。
【０００３】
しかしながら、感光性樹脂凸版が使用される時、つまり製版時には、使用量に応じた任意の枚数の版を取り出しやすくするために、製版装置や壁に立てかけて置かれる場合が多い。支持体が鉄板である感光性樹脂凸版群は、１組の重量が２０ｋｇになることもあり、平置き状態で保管された複数組の感光性樹脂凸版群を縦向き状態に移動することは、製版オペレーターにとって負担が大きい。特に、最近では女性の製版オペレーターが増えており、なおのこと負担度が大きい。また、重量物であるため落下させた場合危険である。
【０００４】
感光性印刷版群を縦向き状態で運搬する装置として、感光性印刷版群を一対の端板間に介装し、端板同士を挟着することで感光性印刷版群を固定する方法（例えば、特許文献１参照。）が公知である。この方法では、一対の端板の間に感光性印刷版群を挟みボルトなどで運搬装置に固定しているため、運搬中に感光性印刷版がずれて傷つくことはないが、運搬装置を移動する度に端板をあてがいボルトで固定するという作業が面倒であった。また、感光性印刷版群を裸の状態で縦型運搬装置に設置する場合、運搬中や保管中に水滴や光に曝される危険を伴っていた。
【特許文献１】特許第２８７３４６３号公報
【発明の開示】
【発明が解決しようとする課題】
【０００５】
本発明は、感光性樹脂凸版を多数枚重ねた感光性樹脂凸版群を、曝光や損傷などのトラブルを与えることなく、簡便に乗置、運搬するための運搬具を提供することを課題とするものである。
【課題を解決するための手段】
【０００６】
本発明の感光性樹脂凸版の運搬具は、上記課題を解決するため主として次の構成を有する。すなわち、感光性樹脂凸版を多数枚重ねた感光性樹脂凸版群の運搬具において、版受け台と版囲いとを具備し、梱包された感光性樹脂凸版群を、実質的に縦向きの状態で乗置できることを特徴とする感光性樹脂凸版群の運搬具である。
【発明の効果】
【０００７】
本発明の感光性樹脂凸版群の運搬具によれば、運搬において曝光や損傷などのトラブルを与えることがなく、また、運搬具の移動時にも版を運搬具に固定する必要がなく、作業性の向上をなし得た。
【発明を実施するための最良の形態】
【０００８】
本発明の感光性樹脂凸版群の運搬具について図を用いて説明するが、本発明は例示した構造を有する運搬具に限定されるものではない。
【０００９】
図１は本発明の感光性樹脂凸版群の運搬具の一例を示す概略構成図である。版受け台１の上に、軸受け４を介して版囲い５が設けられている。本運搬具は、感光性樹脂凸版を多数枚重ねた感光性樹脂凸版群を版囲い５内に差し込み、実質的に縦置きの状態に保持できるものである。版囲いは図１に示すような枠状の方式や図２に示すような板状の方式などが挙げられるがこれらに限定されるものではない。
【００１０】
感光性樹脂凸版群を梱包することにより、水滴や光に曝されることがなく、感光性樹脂凸版群を運搬具に固定しなくても感光性樹脂凸版１枚１枚がバラバラにならずにまとまる効果がある。さらに、感光性樹脂凸版を湿度や酸素などから密封できるように梱包することで、長期間保管する場合にも保管環境の変動に影響を受けにくくなるため好ましい。梱包材料としては、紙、プラスチック、木、金属の単体、もしくはこれらを複合したものなどが挙げられる。紙としては、上質紙、クラフト紙、アート紙、コート紙、ボール紙、段ボールなどが挙げられ、プラスチックとしては、ポリアミド樹脂、ポリエチレン樹脂、ポリプロピレン樹脂、ＰＥＴ樹脂、ＰＢＴ樹脂、アクリル樹脂、塩化ビニル樹脂、ＰＰＳ樹脂、ＡＢＳ樹脂、ポリ乳酸樹脂などが挙げられ、金属としてはアルミニウム、銅、チタンなどが挙げられるがこれらに限定されるものではない。その形状はシート状、袋状、箱状などが挙げられるがこれらに限定されるものではない。封緘の方法としては粘着テープ、接着剤、ヒートシールなどにより封される場合が多い。梱包材料の材質、形状、封緘方法はいずれの組み合わせでも上述の効果を発揮するが、効果度合いや梱包作業の簡便性、梱包材料の価格、感光性樹脂凸版の取り出し易さから判断して、ポリエチレン樹脂製フィルムを袋状に加工し、そこに感光性樹脂凸版群を入れ、粘着テープあるいはヒートシールで封緘する方法が特に好ましい。
【００１１】
本発明において、実質的に縦置きの状態とは、感光性樹脂凸版群を水平に置いた状態を０°とした場合４５°以上の角度になるように立てた状態のことである。また、乗置とは、感光性樹脂凸版（群）を版受け台の上にベルトやボルトなどで固定しないで乗せた状態のことである。
【００１２】
本運搬具は、感光性樹脂凸版群の版寸法に応じて可動式の仕切材を設けることもできる。仕切材を稼働させる機構として、例えば図５に示すように正面板９と背面板１０に対となる複数組の溝を設けておき、任意の溝に仕切板１１を差し込む方式や、厚みの異なる仕切板を何種類か準備しておき、版寸法に適した厚みの仕切板を取り付ける方式、図６に示すようにコの字型のブロック１２を版サイズに合わせてセットする方式、図７に示すように版囲い５に対となる複数組みの溝（あるいは穴）を設けておき、任意の溝（あるいは穴）に仕切棒６をはめ込む方式などが挙げられるが、これらに限定されるものではない。仕切材の形状や素材は限定されるものではないが、感光性樹脂凸版群の重量に耐え得る強度を有することが好ましい。このような仕切材を取り付けることにより、感光性樹脂凸版群を運搬具に固定しなくても、運搬中に感光性樹脂凸版群が大きく動いて破損することを予防できる。さらに、仕切材を適宜選択することにより、サイズの異なる複数種の感光性樹脂凸版群を混載することも可能である。
【００１３】
本運搬具は、感光性樹脂凸版群をスロットカードのように、１組毎、あるいは複数組毎に設置できるように、図３に示すような間仕切り７を設けることもできる。間仕切りの形状は図３に示すような板状や図８に示すような棒状が考えられるが、これらに限定されるものではない。間仕切りを設けることにより、感光性樹脂凸版群が大きく傾くことなく保持され、運搬具が転倒することを防止する効果がある。
【００１４】
本運搬具は、感光性樹脂凸版群を実質的に縦向きに運搬するものであるから、骨組み構造でも差し障りはない。しかしながら、感光性樹脂凸版群そのものは梱包、密封されており直接水滴や光に曝される危険性は低いものの、雨の日に室外を運搬する場合には、外装板を具備することが好ましい。該外装板は、感光性樹脂凸版群の上面を覆う屋根など、感光性樹脂凸版群の少なくとも一部が覆われていれば、効果を発揮する。該外装板は脱着式であれば望ましい。
【００１５】
本運搬具は、再利用できるよう複数回の使用に耐えうる材質で形成されることが望ましい。そのような材質としてステンレスやアルミなどの金属やアクリル、硬質塩ビなどのプラスチック、木、合板、強化段ボール板などが挙げられる。
【００１６】
本運搬具は、簡単に運搬できるように、底面のキャスターや、脱着可能なハンドルを具備しても良い。また、フォークリフトやハンドリフターなどで移送できるような足を具備しても良い。また本運搬具は、必要に応じて寝かせた状態でも運搬できるよう、背面にキャスターや足を具備しても良い。
【実施例】
【００１７】
以下に実施例で本発明をさらに詳しく説明する。
【００１８】
（実施例１）
図１に示す感光性樹脂凸版群の運搬具を次の方法で準備した。３０ｃｍ×７０ｃｍ×２ｍｍ厚の鉄板の４角にストッパー付きのキャスター２を１個ずつネジ止めし版受け台１とした。版受け台１のキャスターのついていない側を上面とし、上面の各角に２個ずつ、長辺を３分割する位置に２個ずつ、短辺の片側に短辺を３分割する位置に２個の合計１４カ所に内径２２ｍｍ長さ１０ｃｍの鉄パイプを縦向きに溶接し、軸受け４とした。外径２０ｍｍ×４０ｃｍ長（１２本）、外径２０ｍｍ×２０ｃｍ長（７本）、外径２０ｍｍ×１０ｃｍ長（１本）のアルミパイプをＬ型、Ｔ型のコネクターで接続し組立て、先に準備した軸受けに箱状になるように差し込み、版囲い５とした。また、ハンドル３として外径２０ｍｍ×１７０ｃｍ長の鉄パイプを曲げ加工し、先に準備した軸受け４に差し込み、運搬具を得た。
【００１９】
東レ（株）製の感光性樹脂凸版、富士トレリーフ「ＷＳ９５ＨII」を４３ｃｍ×６１ｃｍに断裁して２０枚を１組の感光性樹脂凸版群とした。感光性樹脂凸版群を黒色０．１３ｍｍ厚のポリエチレン製の袋（外寸５０ｃｍ×７０ｃｍ）に入れ、袋の口はヒートシールして密封した。袋に感光性樹脂凸版群を入れるときに袋が破れないようにするため、感光性樹脂凸版群の短辺側に厚紙製のカバーを被せた。袋の余った部分は折り返した。これを８組準備し、長辺が横になるようにして縦向きの状態で運搬具に乗せた。感光性樹脂凸版群と運搬具の間のすき間には段ボール板を差し込んだのみで、特に感光性樹脂凸版群を運搬具に固定しなかった。
【００２０】
運搬具に乗せた感光性樹脂凸版群を印刷版に加工する製版室までキャスターを使用して屋外を通って人力で運搬し、東レ（株）製の自動現像装置「ＦＴＲ６４０II」の隣に置いた。感光性樹脂凸版を使用するに際し、積み替えることなく、そのままポリエチレン袋を開封し、印刷版への加工作業（製版）を行った。その結果曝光や損傷など運搬時のトラブルは認められなかった。また版の積み降ろしが無く作業性良好であった。
【００２１】
（実施例２）
図２に示す感光性樹脂凸版群の運搬具を次の方法で準備した。３０ｃｍ×７０ｃｍ×２ｍｍ厚の鉄板の４角にストッパー付きのキャスター２を１個ずつネジ止めし版受け台１とした。版受け台１のキャスターのついていない側を上面とし、上面の短辺１辺の角に内径２２ｍｍ長さ１０ｃｍの鉄パイプを縦向きに溶接し、軸受け４とした。更に軸受け４の隣に版囲い５を設けるべく長辺に３０ｃｍ×６５ｃｍ×１ｍｍ厚の鉄板を、短辺に３０ｃｍ×３０ｃｍ×１ｍｍ厚の鉄板を溶接した。長辺側の各鉄板の上端辺には、対になるように５ｃｍ間隔で幅１１ｍｍ、深さ５０ｍｍの溝を設けた。外径１０ｍｍ×３５ｃｍ長のアルミパイプの両端に樹脂キャップをはめて両端が膨らんだ形状になるようにし、仕切棒６とした。この仕切棒６を上述の溝の任意の場所にはめ込んだ。仕切棒６のはめ込む溝位置を変更することで、異なった版寸法に対応することができる。また、ハンドル３として外径２０ｍｍ×１７０ｃｍ長の鉄パイプを曲げ加工し、先に準備した軸受け４に差し込み、運搬具を得た。
【００２２】
実施例１と同様に準備した感光性樹脂凸版群を運搬具に乗置し、運搬し、製版を行った。ただし、感光性樹脂凸版の版寸法は３０．５ｃｍ×４３ｃｍに断裁した。黒色ポリエチレン製袋は、外寸４０ｃｍ×５０ｃｍのものを準備した。仕切棒６はハンドル側から４５ｃｍ位置の溝にはめ込んだ。その結果、運搬において曝光や損傷などのトラブルは認められず、また版の積み降ろしがなく作業性良好であった。
【００２３】
（実施例３）
実施例２と同様の運搬具を準備した。ただし図３に示すように版受け台１の長手方向に設けた鉄板と平行になるように、間仕切り７として７枚の２９ｃｍ×６４．８ｃｍ×１ｍｍ厚の鉄板を等間隔になるように設け８個の版受け口を得た。仕切棒は使用しなかった。
【００２４】
実施例１と同様に準備した感光性樹脂凸版群を、１組ずつ版受け口に挿入し、運搬、製版を行った。その結果、運搬において曝光や損傷などのトラブルは認められず、また版の積み降ろしがなく作業性良好であった。
【００２５】
（実施例４）
実施例２と同様の運搬具を準備した。ただし図４に示すように正面板９のサイズは５０ｃｍ×６５ｃｍ×１ｍｍ厚とした。その上端辺に蝶番１３を介して３５ｃｍ×６５ｃｍ×０．５ｍｍ厚の鉄板を設け、これを屋根８とした。実施例１と同様の感光性樹脂凸版群を乗置した後、屋根を被せた。
【００２６】
実施例１と同様に準備した感光性樹脂凸版群を運搬具に乗置し、運搬し、製版を行った。その結果、運搬において曝光や損傷などのトラブルは認められず、また版の積み降ろしがなく作業性良好であった。
（実施例５）
実施例１から４において、それぞれ１台の運搬具で感光性樹脂凸版群の乗置、運搬を２０回繰り返したが、運搬具には破損、分解などのトラブルは認められなかった。
【図面の簡単な説明】
【００２７】
【図１】本発明の感光性樹脂凸版群の運搬具の一例を示す概略構成図。
【図２】本発明の感光性樹脂凸版群の運搬具の別の一例を示す概略構成図。
【図３】本発明の感光性樹脂凸版群の運搬具の別の一例を示す概略構成図。
【図４】本発明の感光性樹脂凸版群の運搬具の別の一例を示す概略構成図。
【図５】仕切板の一例を示す概略構成図。
【図６】仕切板の別の一例を示す概略構成図。
【図７】仕切棒の一例を示す概略構成図。
【図８】間仕切りの一例を示す概略構成図。
【符号の説明】
【００２８】
１：版受け台
２：キャスター
３：ハンドル
４：軸受け
５：版囲い
６：仕切棒
７：間仕切り
８：屋根
９：正面板
１０：背面板
１１：仕切板
１２：ブロック
１３：蝶番
【図１】
2005255079.tif 000003
【図２】
2005255079.tif 000004
【図３】
2005255079.tif 000005
【図４】
2005255079.tif 000006
【図５】
2005255079.tif 000007
【図６】
2005255079.tif 000008
【図７】
2005255079.tif 000009
【図８】
2005255079.tif 000010